(57)【特許請求の範囲】
【請求項１】
上部構造体と、
設置面に立設されて前記上部構造体を支持する下部構造体と、
前記下部構造体に設けられ、前記設置面を転動することにより前記下部構造体を前記設置面に対して移動させるキャスタと、
前記下部構造体に設けられ、前記設置面との間に摩擦力を発生可能な摩擦力付与部と、を備える家具において、
前記摩擦力付与部は、前記下部構造体の第一の貫通孔に挿通された主筐体を有し、
前記第一の貫通孔に挿通された前記主筐体が上下方向に対して傾くのを規制する傾き規制部を備え、
前記傾き規制部は、
前記主筐体の外面から突出するとともに上下方向に沿って延びる突部と、
前記下部構造体における前記第一の貫通孔を囲う縁部に沿って前記突部を挟むように、前記下部構造体に配置された一対の規制部材と、
を有することを特徴とする家具。
【請求項２】
前記突部の上方の端部には、上方に向かうにしたがって前記第一の貫通孔の前記縁部に沿う方向の長さが短くなる先細り部が形成されていることを特徴とする請求項１に記載の家具。
【請求項３】
前記下部構造体には、前記下部構造体の縁部から前記第一の貫通孔の径方向外側に延びて前記下部構造体を上下方向に沿って貫通する切欠きが形成され、
前記切欠きは、一対の前記規制部材の間の隙間に連通することを特徴とする請求項１又は２に記載の家具。
【請求項４】
上部構造体と、
設置面に立設されて前記上部構造体を支持する下部構造体と、
前記下部構造体に設けられ、前記設置面を転動することにより前記下部構造体を前記設置面に対して移動させるキャスタと、
前記下部構造体に設けられ、前記設置面との間に摩擦力を発生可能な摩擦力付与部と、を備える家具において、
前記摩擦力付与部は、前記下部構造体の第一の貫通孔に挿通された主筐体を有し、
前記第一の貫通孔に挿通された前記主筐体が上下方向に対して傾くのを規制する傾き規制部を備え、
前記傾き規制部は、前記下部構造体に形成された第二の貫通孔を有し、
前記第二の貫通孔は、前記第一の貫通孔の上方に形成され、
前記下部構造体の前記第二の貫通孔に前記主筐体が挿通されていることを特徴とする家具。
【請求項５】
上部構造体と、設置面に立設されて前記上部構造体を支持する下部構造体と、前記下部構造体に設けられ、前記設置面を転動することにより前記下部構造体を前記設置面に対して移動させるキャスタと、を備える家具に、前記設置面との間に摩擦力を発生可能な摩擦力付与部を取付ける家具の保守方法であって、
前記下部構造体の第一の貫通孔に、前記摩擦力付与部の主筐体を下方から挿通させ、
前記主筐体の外面から突出するとともに上下方向に沿って延びる突部を、前記下部構造体の前記第一の貫通孔を覆う縁部の一対の規制部材の間に挿通させることを特徴とする家具の保守方法。
【請求項６】
上部構造体と、設置面に立設されて前記上部構造体を支持する下部構造体と、前記下部構造体に設けられ、前記設置面を転動することにより前記下部構造体を前記設置面に対して移動させるキャスタと、を備える家具に、前記設置面との間に摩擦力を発生可能な摩擦力付与部を取付ける家具の保守方法であって、
前記下部構造体の第一の貫通孔に、前記摩擦力付与部の主筐体を下方から挿通させ、
前記下部構造体の前記第一の貫通孔の上方に形成された第二の貫通孔に前記主筐体を挿通させることを特徴とする家具の保守方法。
【発明の詳細な説明】
【技術分野】
【０００１】
本発明は、床面等の設置面上を移動可能な家具及び家具の保守方法に関する。
【背景技術】
【０００２】
床面等の設置面上で容易に移動させるために、下部にキャスタを備えた様々な家具が検討されている。この種の家具として、例えば特許文献１に開示されたテーブルが知られている。
【０００３】
特許文献１のテーブルは、一対の接地脚（下部構造体）の後部に立設した支持杆で、天板（上部構造体）を支持している。接地脚の両端部下面にキャスタを設けて、テーブルを移動可能にしている。両キャスタの中間位置に、テーブルを使用中に不意に移動しないように規制するストッパ装置（摩擦力付与部）を設けている。
接地脚は、金属製長尺部材からなるビーム部材を有し、ビーム部材に金属製部材からなる補強部材を固着している。補強部材の底面部には、ストッパ装置の装着用開口（第一の貫通孔）が形成されている。ストッパ装置は、補強部材に取付ける取付部材（主筐体）を有している。
装着用開口内に取付部材の両支持板を下方より挿入し、取付部材の取付板を補強部材の下面に当接させる。補強部材に取付部材の取付板をタッピングネジにより固定する。
【先行技術文献】
【特許文献】
【０００４】
【特許文献１】特許第３５５１８１１号公報
【発明の概要】
【発明が解決しようとする課題】
【０００５】
しかしながら、特許文献１のテーブルでは、装着用開口に取付部材を挿入するときに、上下方向に対して取付部材が傾くと、装着用開口に取付部材を挿入しにくくなったり、補強部材に取付部材をネジ等で固定しにくくなったりする。
【０００６】
本発明は、このような問題点に鑑みてなされたものであって、下部構造体の第一の貫通孔に摩擦力付与部を上下方向に沿って容易に挿入させることができる家具及び家具の保守方法を提供することを目的とする。
【課題を解決するための手段】
【０００７】
上記課題を解決するために、この発明は以下の手段を提案している。
本出願の一の発明の家具は、上部構造体と、設置面に立設されて前記上部構造体を支持する下部構造体と、前記下部構造体に設けられ、前記設置面を転動することにより前記下部構造体を前記設置面に対して移動させるキャスタと、前記下部構造体に設けられ、前記設置面との間に摩擦力を発生可能な摩擦力付与部と、を備える家具において、前記摩擦力付与部は、前記下部構造体の第一の貫通孔に挿通された主筐体を有し、前記第一の貫通孔に挿通された前記主筐体が上下方向に対して傾くのを規制する傾き規制部を備え、前記傾き規制部は、前記主筐体の外面から突出するとともに上下方向に沿って延びる突部と、前記下部構造体における前記第一の貫通孔を囲う縁部に沿って前記突部を挟むように、前記下部構造体に配置された一対の規制部材と、を有することを特徴としている。
この発明によれば、一対の規制部材の間に突部が挟まれることで、下部構造体に対して主筐体が一対の規制部材が並ぶ方向に傾きにくくなる。一対の規制部材により突部が上下方向に沿って案内されることで、主筐体が上下方向に対して傾くのを抑えることができる。
【０００８】
また、本出願の一の発明の家具の保守方法は、上部構造体と、設置面に立設されて前記上部構造体を支持する下部構造体と、前記下部構造体に設けられ、前記設置面を転動することにより前記下部構造体を前記設置面に対して移動させるキャスタと、を備える家具に、前記設置面との間に摩擦力を発生可能な摩擦力付与部を取付ける家具の保守方法であって、前記下部構造体の第一の貫通孔に、前記摩擦力付与部の主筐体を下方から挿通させ、前記主筐体の外面から突出するとともに上下方向に沿って延びる突部を、前記下部構造体の前記第一の貫通孔を覆う縁部の一対の規制部材の間に挿通させることを特徴としている。
【０００９】
これらの発明によれば、下部構造体の第一の貫通孔に摩擦力付与部の主筐体を下方から挿通させるときに、傾き規制部により第一の貫通孔に挿通された主筐体が上下方向に対して傾くのが規制される。主筐体を挿入する向きが上下方向に対して傾きにくいことで、下部構造体の第一の貫通孔に摩擦力付与部を上下方向に沿って容易に挿入させることができる。
【００１１】
また、上記の家具において、前記突部の上方の端部には、上方に向かうにしたがって前記第一の貫通孔の前記縁部に沿う方向の長さが短くなる先細り部が形成されていてもよい。
この発明によれば、一対の規制部材の間に突部を挿入しやすくすることができる。
【００１２】
また、上記の家具において、前記下部構造体には、前記下部構造体の縁部から前記第一の貫通孔の径方向外側に延びて前記下部構造体を上下方向に沿って貫通する切欠きが形成され、前記切欠きは、一対の前記規制部材の間の隙間に連通してもよい。
この発明によれば、下部構造体の第一の貫通孔に摩擦力付与部を挿通させるときに、下部構造体の切欠きを摩擦力付与部の突部が通る。このため、第一の貫通孔に突部を挿通させるために第一の貫通孔の内径が大きくなるのを抑えられ、下部構造体の剛性が損なわれることを防止することができる。
【００１３】
また、本出願の他の発明の家具は、上部構造体と、設置面に立設されて前記上部構造体を支持する下部構造体と、前記下部構造体に設けられ、前記設置面を転動することにより前記下部構造体を前記設置面に対して移動させるキャスタと、前記下部構造体に設けられ、前記設置面との間に摩擦力を発生可能な摩擦力付与部と、を備える家具において、前記摩擦力付与部は、前記下部構造体の第一の貫通孔に挿通された主筐体を有し、前記第一の貫通孔に挿通された前記主筐体が上下方向に対して傾くのを規制する傾き規制部を備え、前記傾き規制部は、前記下部構造体に形成された第二の貫通孔を有し、前記第二の貫通孔は、前記第一の貫通孔の上方に形成され、前記下部構造体の前記第二の貫通孔に前記主筐体が挿通されていることを特徴としている。
この発明によれば、主筐体が第一の貫通孔及び第二の貫通孔に挿通されることで、主筐体が上下方向に沿って案内される。したがって、主筐体が上下方向に対して傾くのを抑えることができる。
また、本出願の他の発明の家具の保守方法は、上部構造体と、設置面に立設されて前記上部構造体を支持する下部構造体と、前記下部構造体に設けられ、前記設置面を転動することにより前記下部構造体を前記設置面に対して移動させるキャスタと、を備える家具に、前記設置面との間に摩擦力を発生可能な摩擦力付与部を取付ける家具の保守方法であって、前記下部構造体の第一の貫通孔に、前記摩擦力付与部の主筐体を下方から挿通させ、前記下部構造体の前記第一の貫通孔の上方に形成された第二の貫通孔に前記主筐体を挿通させることを特徴としている。
【発明の効果】
【００１４】
本発明の家具及び家具の保守方法によれば、下部構造体の第一の貫通孔に摩擦力付与部を上下方向に沿って容易に挿入させることができる。
【図面の簡単な説明】
【００１５】
【図１】本発明の一実施形態のテーブルの要部を示す斜視図である。
【図２】同テーブルの脚杆の第二の端部を拡大した斜視図である。
【図３】同テーブルの脚杆の第二の端部を分解した斜視図である。
【図４】同脚杆の第二の端部の側面の断面図である。
【図５】同脚杆の第二の端部の平面の断面図である。
【図６】同テーブルのストッパの離間状態における側面の断面を模式的に示す図である。
【図７】離間状態の同ストッパの操作部材を押し下げた状態を表す断面を模式的に示す図である。
【図８】同ストッパの当接状態における側面の断面を模式的に示す図である。
【図９】当接状態の同ストッパの操作部材を押し下げた状態を表す断面を模式的に示す図である。
【図１０】本発明の実施形態のテーブルの保守方法を示すフローチャートである。
【発明を実施するための形態】
【００１６】
以下、本発明に係る家具の一実施形態を、家具がテーブルである場合について、図１から１０を参照しながら説明する。
図１に示すように、本実施形態のテーブル１は、天板（上部構造体）１０と、天板１０を支持するとともに左右方向Ｘに離間して配置された一対の脚体２０（図１では一方の脚体２０のみを示す）と、各脚体２０に設けられたキャスタ４５及びストッパ（摩擦力付与部）５５と、を備えている。
【００１７】
天板１０は、上下方向Ｚに見たときに矩形状に形成されている。天板１０における左右方向Ｘに延びる第一の辺１０ａの長さは、前後方向Ｙに延びる第二の辺１０ｂの長さよりも長い。
脚体２０は、天板１０の下面１０ｃに取付けられる接続部材２１と、棒状に形成されて接続部材２１から下方に延びる中空状の支柱部２２と、支柱部２２の下端部から水平面に沿うように放射状に延びる複数の脚杆２３とを有する。
接続部材２１は、鋼板等で形成されている。接続部材２１は図示しないボルト等により、天板１０の下面１０ｃに取付けられている。
支柱部２２は、鋼管等で形成されている。支柱部２２の上端部は、接続部材２１に溶接等により固定されている。
【００１８】
なお、接続部材２１、支柱部２２、及び脚杆２３が、下部構造体２に該当する。
支柱部２２の下端部には、４本の脚杆２３の第一の端部が接続されている。４本の脚杆２３は、支柱部２２周りに略等角度ごとに配置されている。
なお、天板１０を支持する脚体２０の数、及び支柱部２２に接続される脚杆２３の数は特に限定されない。
【００１９】
図２から４に示すように、脚杆２３は、板状に形成されて第一の端部が支柱部２２に接続された支持板２６と、支持板２６に取付けられたカバー部材２７とを有している。なお、図３中には一部の拡大図を示している。
支持板２６は鋼板等で形成され、上下方向Ｚが支持板２６の厚さ方向となるように、支持板２６は水平面に沿って配置されている。支持板２６は水平面に沿って延びている。支持板２６の第二の端部２６ａは、支持板２６の第二の端部２６ａ以外の部分よりも幅が広い幅広部である。
支持板２６の第二の端部２６ａには、上下方向Ｚに沿って貫通する取付け孔２９が形成されている。取付け孔２９は、略円形状に形成されている。支持板２６における取付け孔２９を囲う取付け縁部２９ａには、後述するネジ部材５０が螺合するネジ受け孔２９ｂが形成されている。
【００２０】
図３から５に示すように、支持板２６における取付け孔２９よりも第一の端部側には、上下方向Ｚに沿って貫通するように第一の貫通孔３０が形成されている。第一の貫通孔３０は、支持板２６に沿う方向を長辺とする矩形状に形成されている。支持板２６における第一の貫通孔３０を囲う第一の縁部（縁部）３０ａには、後述するネジ部材５０が螺合するネジ受け孔３０ｂが形成されている。
支持板２６には、支持板２６の第一の縁部３０ａから第一の貫通孔３０の径方向外側に延びる線状の支持用切欠き（切欠き）３１が形成されている。支持用切欠き３１は、支持板２６を上下方向Ｚに沿って貫通するとともに、第一の貫通孔３０に連通する。支持用切欠き３１は、第一の貫通孔３０から支持板２６の第一の端部に向かって延びている。
【００２１】
支持板２６の上面２６ｂには、支持用切欠き３１の上方を覆うように保持部材３４がスポット溶接等で取付けられている。保持部材３４は、支持板２６に取付けられる基材３５と、基材３５の縁部から上方に延びる一対の規制部材３６と、一対の規制部材３６の上端部を連結する連結部材３７とを有している。
基材３５には、支持用切欠き３１に上下方向Ｚに重なる位置に保持用切欠き３５ａが形成されている。基材３５には、後述するネジ部材５０が螺合するネジ受け孔３５ｂが形成されている。なお、ネジ受け孔３５ｂに重なる位置の支持板２６には、符号を省略した連通孔が形成されている。
基材３５は、上下方向Ｚに見たときに第一の貫通孔３０内に突出しないように、第一の縁部３０ａにおける支持板２６の第一の端部側の部分に取付けられている。
【００２２】
一対の規制部材３６は、第一の縁部３０ａに沿って第一の隙間（隙間）Ｓ１を空けて配置されている。一対の規制部材３６の間の第一の隙間Ｓ１は、保持用切欠き３５ａを介して支持用切欠き３１に連通する。
一対の規制部材３６及び連結部材３７により、第一の隙間Ｓ１の位置に第二の保持用切欠きが形成される。
基材３５、一対の規制部材３６、及び連結部材３７は、例えば、鋼板等にプレス加工によりスリットを形成し、加工した鋼板等をＬ字形に折り曲げることで一体に形成されている。
【００２３】
カバー部材２７は、アルミニウム等の金属を鋳造すること等により、上方に向かって凸となるように湾曲するとともに、支持板２６に沿う方向に延びるドーム状に形成されている。カバー部材２７の下方の部分は、開口２７ａとなっている。カバー部材２７は、溶接等により支持板２６の上方を覆うように支持板２６に取付けられている。
カバー部材２７には、第一の貫通孔３０の上方となる位置に上下方向Ｚに貫通する第二の貫通孔２７ｂが形成されている。第二の貫通孔２７ｂは、カバー部材２７に沿う方向を長辺とする矩形状に形成されている。
図４に示すように、本実施形態では、第一の貫通孔３０と第二の貫通孔２７ｂとの間に第二の隙間Ｓ２が形成されている。
支持板２６にカバー部材２７が取付けられることで、支持板２６（脚杆２３）の外観が向上するとともに、第二の隙間Ｓ２の内部に位置するストッパ５５と保持部材３４とが、外的な衝撃より保護される。
【００２４】
図３及び４に示すように、キャスタ４５は公知の構成のものであり、有底筒状のキャスタ本体４６の外周面にキャスタフランジ４７が取付けられている。キャスタフランジ４７には、上下方向Ｚに貫通する挿通孔４７ａが形成されている。キャスタ本体４６には、ローラ４８が回転可能に支持されている。
キャスタ４５は、支持板２６の下面２６ｃにキャスタフランジ４７を当接させた状態で、キャスタフランジ４７の挿通孔４７ａを挿通させたネジ部材５０を支持板２６のネジ受け孔２９ｂに螺合させることで、支持板２６に取付けられる。
図４に示すように、キャスタ４５は、床面（設置面）Ｆを転動することにより支持板２６を床面Ｆに対して移動させる。下部構造体２は、床面Ｆに立設されて天板１０を支持する。
【００２５】
ストッパ５５は、いわゆるボールペンのノック式構造を有する公知のものである。以下では、ストッパ５５の構成及び作用の概要について説明する。まず、ストッパ５５の構成について説明する。
図３及び６に示すように、ストッパ５５は、角筒状に形成された主筐体５６と、主筐体５６の外面に設けられたフランジ部６０と、主筐体５６に対して上下方向Ｚに移動可能に主筐体５６に支持された操作部材５７及び接地部材５８と、を有している。なお、図６から９においては、支持板２６、カバー部材２７、及び床面Ｆとストッパ５５との関係を説明するため、ストッパ５５の内部構造の詳細は示していなく、各部材の形状を模式的に示している。以下では、まず後述する離間状態のストッパ５５について説明する。
【００２６】
主筐体５６は、支持板２６の第一の貫通孔３０に挿通されている。
図４及び６に示すように、フランジ部６０は、第一の貫通孔３０の内径よりも大きな外径を有している。フランジ部６０には、上下方向Ｚに貫通する挿通孔６０ａが形成されている。
主筐体５６には、主筐体５６の外面から突出するとともに上下方向Ｚに沿って延びる突部６２が設けられている。なお、一対の規制部材３６、突部６２、及び第二の貫通孔２７ｂで、傾き規制部６１を構成する。
突部６２は、板状に形成され、フランジ部６０よりも上方に配置されている。突部６２の上方の端部には、上方に向かうにしたがって第一の縁部３０ａに沿う方向の長さが短くなる先細り部６２ａが形成されている（図３参照）。すなわち、突部６２は上方の端部の幅が狭くなっている。
主筐体５６、フランジ部６０、及び突部６２は、樹脂等で一体に形成されている。
【００２７】
図６に示すように、操作部材５７の下部の外周面には、係止爪５７ａが形成されている。操作部材５７の上面５７ｂには、「ＰＵＳＨ」等の、テーブル１の使用者が操作部材５７を下方に押し下げることを促す表示が設けられていることが好ましい。
接地部材５８の上部の内周面には、係止爪５７ａに係止可能な係止爪５８ａが形成されている。接地部材５８の下面５８ｂには、ゴム製のシート等の弾性部材が設けられていることが好ましい。
操作部材５７及び接地部材５８は、樹脂等で形成することができる。
【００２８】
係止爪５７ａと係止爪５８ａとが係止することで、操作部材５７と接地部材５８とが一定の距離以上離間するのが規制される。一方で、係止爪５８ａが操作部材５７に当接すること等により、操作部材５７と接地部材５８とが一定の距離以上接近することが規制される。
操作部材５７及び接地部材５８は、主筐体５６の筒孔に挿通されている。
操作部材５７内には、図示しない付勢部材等が内蔵されている。この付勢部材は、操作部材５７と接地部材５８とが上下方向Ｚに離間するように付勢している。
離間状態のストッパ５５は、付勢部材の付勢力により操作部材５７と接地部材５８とが離間し、係止爪５７ａと係止爪５８ａとが係止している。
【００２９】
このように構成されたストッパ５５の主筐体５６は、図４に示すように、支持板２６の下面２６ｃにフランジ部６０が当接した状態で、フランジ部６０の挿通孔６０ａを挿通させたネジ部材５０を支持板２６のネジ受け孔３０ｂに螺合させることで、支持板２６に取付けられている。
このとき、図４及び５に示すように、ストッパ５５の突部６２は、一対の規制部材３６の間の第一の隙間Ｓ１に配置され、一対の規制部材３６に挟まれる。カバー部材２７の第二の貫通孔２７ｂに、ストッパ５５の主筐体５６の上端部が挿通される。
操作部材５７は、カバー部材２７の第二の貫通孔２７ｂに挿通されるとともに、カバー部材２７よりも上方に突出する。このため、操作部材５７を下方に押しやすい。接地部材５８は、床面Ｆよりも上方に配置され、床面Ｆから離間している。
すなわち、ストッパ５５は接地部材５８が床面Ｆから離間した離間状態にある。
【００３０】
次に、ストッパ５５の作用について説明する。
図６に示すストッパ５５の離間状態から、使用者が操作部材５７の上面５７ｂを足Ｑ等で押し下げる操作をすると、操作部材５７と接地部材５８とが上下方向Ｚに離間した状態で一体となって下方に移動する。接地部材５８の下面５８ｂが床面Ｆに当接すると、接地部材５８はこれ以上下方に移動できなくなる。付勢部材の付勢力に抗して使用者は操作部材５７を押し下げるが、図７に示す係止爪５８ａが操作部材５７に当接した状態になると、これ以上操作部材５７を下方に移動できなくなる。
【００３１】
使用者が操作部材５７から足Ｑ等を離す操作をすると、図８に示すように、ノック式構造により接地部材５８は床面Ｆに当接したままとなる。このため、接地部材５８と床面Ｆとの間に摩擦力（静止摩擦力）が発生する。一方で、操作部材５７は付勢部材の付勢力により上方に移動する。
この図８に示すストッパ５５の状態が、接地部材５８が床面Ｆに当接した当接状態である。
【００３２】
図９に示すように、使用者が操作部材５７を足Ｑ等で押し下げる操作をすると、接地部材５８が移動しない状態で操作部材５７が下方に移動する。係止爪５８ａが操作部材５７に当接した状態になると、これ以上操作部材５７を下方に移動できなくなる。
この状態から足Ｑ等を離す操作をすると、ノック式構造により、図６に示すように接地部材５８が床面Ｆから離間する。付勢部材の付勢力により操作部材５７と接地部材５８とが離間し、係止爪５７ａと係止爪５８ａとが係止する。このとき、ストッパ５５は離間状態になる。
【００３３】
このように、ストッパ５５は、操作部材５７を操作されることで離間状態と当接状態とに切替え可能である。
なお、ストッパ５５を当接状態にしたときに、ストッパ５５がキャスタ４５を床面Ｆに対して上方に移動させて床面Ｆにキャスタ４５が接触しないようにしてもよい。操作部材５７及び接地部材５８が上下方向Ｚに移動するストロークを調節することで、このように構成することができる。
前述の一連の操作において、操作部材５７が使用者の足Ｑにより押し下げられる。しかし、足Ｑを押し下げる向きは下方に限られず斜め下方等もあり得るため、ストッパ５５の主筐体５６には様々な方向のモーメントが作用する。このモーメントが作用することで主筐体５６が上下方向Ｚに対して傾くことも、傾き規制部６１によって抑えられる。主筐体５６の傾きが抑えられることによって、ストッパ５５が破損する危険性を低減させることができる。
【００３４】
次に、ストッパ５５が取付けられていないテーブル１にストッパ５５を後付けにより取付ける本実施形態のテーブル１の保守方法（以下、単に保守方法とも略称する）について説明する。図１０は、本実施形態の保守方法Ｔを示すフローチャートである。
まず、下部構造体２の支持板２６の第一の貫通孔３０に、ストッパ５５の主筐体５６を下方から挿通させる（主筐体挿通工程、図１０のステップＴ１）。
【００３５】
支持板２６の支持用切欠き３１、保持部材３４の保持用切欠き３５ａを突部６２が挿通し、一対の規制部材３６の間の第一の隙間Ｓ１に突部６２が入る。一対の規制部材３６の間に突部６２が挟まれることで、支持板２６に対して主筐体５６が一対の規制部材３６が並ぶ方向Ｄ（図３参照）に傾きにくくなる。傾き規制部６１を構成する一対の規制部材３６及び突部６２により、第一の貫通孔３０に挿通された主筐体５６が上下方向Ｚに対して傾くのが規制される。
このとき、突部６２の上方の端部に先細り部６２ａが形成されているため、一対の規制部材３６の間に突部６２を挿入しやすい。
支持用切欠き３１を突部６２が通ることで、第一の貫通孔３０に突部６２を挿通させるために第一の貫通孔３０の内径を大きくする必要がない。
【００３６】
カバー部材２７の第二の貫通孔２７ｂにストッパ５５の主筐体５６が挿通される。傾き規制部６１を構成する第二の貫通孔２７ｂにより、第二の貫通孔２７ｂに挿通された主筐体５６が上下方向Ｚに対して傾くのが規制される。
【００３７】
次に、支持板２６の下面２６ｃに、主筐体５６に設けられたフランジ部６０を当接させる（フランジ部当接工程、ステップＴ３）。
次に、ネジ部材５０により支持板２６にストッパ５５のフランジ部６０を取付ける（ネジ止め工程、ステップＴ５）。前述のようにフランジ部６０の挿通孔６０ａにネジ部材５０を挿通させ、支持板２６のネジ受け孔３０ｂ及び保持部材３４のネジ受け孔３５ｂにネジ部材５０を螺合させる。
以上の工程により、テーブル１に後付けによりストッパ５５が取付けられる。
【００３８】
このように構成され保守されたテーブル１を床面Ｆに対して移動させるときには、使用者は操作部材５７を操作して全てのストッパ５５を離間状態にする。全てのストッパ５５が床面Ｆから離間し、床面Ｆとストッパ５５との間に摩擦力が作用しなくなる。
テーブル１を所望の場所に移動させたら、操作部材５７を操作して全てのストッパ５５を当接状態にする。全てのストッパ５５を当接状態にすることで、テーブル１は床面Ｆに対して制動された状態になる。
【００３９】
以上説明したように、本実施形態のテーブル１及び保守方法Ｔによれば、下部構造体２の第一の貫通孔３０にストッパ５５の主筐体５６を下方から挿通させるときに、傾き規制部６１により第一の貫通孔３０に挿通された主筐体５６が上下方向Ｚに対して傾くのが規制される。主筐体５６を挿入する向きが上下方向Ｚに対して傾きにくいことで、下部構造体２の第一の貫通孔３０にストッパ５５を上下方向Ｚに沿って容易に挿入させることができる。
【００４０】
一対の規制部材３６の間に突部６２が挟まれることで、下部構造体２に対して主筐体５６が一対の規制部材３６が並ぶ方向Ｄに傾きにくくなる。一対の規制部材３６により突部６２が上下方向Ｚに沿って案内されることで、主筐体５６が上下方向Ｚに対して傾くのを抑えることができる。
突部６２に先細り部６２ａが形成されているため、一対の規制部材３６の間に突部６２を挿入しやすくすることができる。
【００４１】
下部構造体２の支持板２６には支持用切欠き３１が形成されているため、支持板２６の第一の貫通孔３０にストッパ５５を挿通させるときに、支持板２６の支持用切欠き３１をストッパ５５の突部６２が通る。このため、第一の貫通孔３０に突部６２を挿通させるために第一の貫通孔３０の内径が大きくなるのを抑え、下部構造体２の剛性が損なわれることを防止することができる。
主筐体５６が第一の貫通孔３０及び第二の貫通孔２７ｂに挿通されることで、主筐体５６が上下方向Ｚに沿って案内される。したがって、主筐体５６が上下方向Ｚに対して傾くのを抑えることができる。
【００４２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、テーブル１は、保持部材３４及びストッパ５５の突部６２を備えなくてもよい。この場合には、傾き規制部はカバー部材２７の第二の貫通孔２７ｂで構成される。支持板２６には、支持用切欠き３１が形成されなくてもよい。
【００４３】
一対の規制部材３６の間の第一の隙間Ｓ１に比べて突部６２が充分に薄い場合等には、突部６２に先細り部６２ａが形成されなくてもよい。
脚杆２３はカバー部材２７を備えなくてもよい。この場合には、傾き規制部は一対の規制部材３６及び突部６２で構成される。
家具はテーブルであるとしたが、家具は椅子、ワゴン、棚や袖机等でもよい。
【符号の説明】
【００４４】
１    テーブル（家具）
２    下部構造体
１０  天板（上部構造体）
２７ｂ  第二の貫通孔
３０  第一の貫通孔
３０ａ  第一の縁部（縁部）
３１  支持用切欠き（切欠き）
３６  規制部材
４５  キャスタ
５５  ストッパ（摩擦付与手段）
５６  主筐体
６１  傾き規制部
６２  突部
６２ａ  先細り部
Ｆ    床面（設置面）
Ｓ１  第一の隙間（隙間）
Ｔ    テーブルの保守方法（家具の保守方法）
Ｚ    上下方向
【図１】
0006654860.tif 000002
【図２】
0006654860.tif 000003
【図３】
0006654860.tif 000004
【図４】
0006654860.tif 000005
【図５】
0006654860.tif 000006
【図６】
0006654860.tif 000007
【図７】
0006654860.tif 000008
【図８】
0006654860.tif 000009
【図９】
0006654860.tif 000010
【図１０】
0006654860.tif 000011